(57)【要約】【課題】カラーフィルターを設けることも、光源の光軸を合わせる光学機構を設ける必要もなく異なる色で投影することができる小型で簡単な機構の投影装置を提供すること。【解決手段】光源１０の照明光を液晶パネル１８を透過させ、該液晶パネル１８に表示された映像を投影する投影装置であって、上記光源１０を異なる色で発光する複数の発光体１１で構成するとともに、上記発光体１１の何れか１つを選択する選択手段６を設け、該選択手段６で選択した発光体１１の光軸は投影レンズ１９の光軸と一致するようにし、上記液晶パネル１８に表示される映像データは音声データとともに記憶手段２６に記憶されていること【選択図】図１
2009058808.tif 000002
【特許請求の範囲】
【請求項１】
光源の照明光を液晶パネルを透過させ、該液晶パネルに表示された映像を投影する、以下の要件を備えることを特徴とする投影装置。
（イ）上記光源は異なる色で発光する複数の発光体で構成されていること
（ロ）上記発光体の何れか１つを選択する選択手段を設け、該選択手段で選択した発光体の光軸は投影レンズの光軸と一致するようにしたこと
（ハ）上記液晶パネルに表示される映像データは音声データとともに記憶手段に記憶されていること
【請求項２】
前記記憶手段を前記投影装置に着脱可能にした、請求項１記載の投影装置。
【発明の詳細な説明】
【技術分野】
【０００１】
本発明は、投影装置、詳しくは光源の照明光を液晶パネルを透過させ、該液晶パネルに表示された映像を投影する投影装置であり、光源を異なる色で発光する複数の発光体で構成し、発光体を自由に選択できるようにした投影装置に関するものである。
【背景技術】
【０００２】
従来、異なる色の照明光を発する光源を配置し、この光源の1つを点灯させてカラー表示を行なう投影機が提案されている（例えば、特許文献１）。この投影機は赤、緑、青の光源をフィールドシーケンシャル方式によりカラー画像表示ができるようにしたものである。
【特許文献１】特開２００２−４０３８８号公報
【発明の開示】
【発明が解決しようとする課題】
【０００３】
本発明が解決しようとする問題点は、上述の投影機はカラー画像表示をするために３色の光源を配置し、この光源の点灯を制御するとともに、光源の光を効率よく液晶パネルへ送り込むためのリフレクタを必要とするため、装置全体は大型化せざるを得なかった。装置の大型化は高輝度、高解像度でカラー画像表示をおこなう投影機では許容されるが、単光色で液晶パネルの画像を投影する小型化を目指す投影機では装置の大きさは許容できない問題であった。
【０００４】
本発明は、上記問題点を解決し、カラーフィルターを設けることも、光源の光軸を合わせる光学機構を設ける必要もなく異なる色で投影することができる小型で簡単な機構の投影装置を提供することを課題とする。
【課題を解決するための手段】
【０００５】
前記課題を解決するために本発明に係る投影装置は、光源の照明光を液晶パネルを透過させ、該液晶パネルに表示された映像を投影する、以下の要件を備えることを特徴とする。
（イ）上記光源は異なる色で発光する複数の発光体で構成されていること
（ロ）上記発光体の何れか１つを選択する選択手段を設け、該選択手段で選択した発光体の光軸は投影レンズの光軸と一致するようにしたこと
（ハ）上記液晶パネルに表示される映像データは音声データとともに記憶手段に記憶されていること
【０００６】
なお、前記記憶手段は前記投影装置に着脱可能にし、交換できるようにしてもよい。
【発明の効果】
【０００７】
請求項１の発明によれば、光源を異なる色で発光する複数の発光体で構成し、選択手段で発光体を選択すると選択した発光体の光軸は投影レンズの光軸と一致するので、複数の発光体を配置しても発光体を移動させるようにしたので、光軸を一致させるための光学機構を設ける必要がなく投影機の構造を簡単でにすることができるとともに装置の小型化を図ることができる。
【０００８】
請求項２の発明によれば、映像データを記憶した記憶手段を交換できるようにしたので、記憶手段を入れ替えることにより様々な映像を投影することができるとともに、メーカが絶えず新しい映像データをユーザーに供給することができる。
【発明を実施するための最良の形態】
【０００９】
図１（ａ）は、本発明に係る投影装置の一例を示す正面側斜視図で、この投影装置Ａは、球体状に形成された装置本体１が基台２の上で前後左右に自由に回動させることができるように取り付けられている。上装置記本体１の前面には半透明の白い樹脂で略半球状に形成されたパネル３が配置され、内側に投影された映像がパネル３の表側からパネル３を透して視認できるようになっている。さらに、上記装置本体１の背面側には開閉蓋４がヒンジ５を支点に後方に開放できるようになっているとともに、後述する光源１０を選択する選択手段であるダイヤル６の一部が外部から回動操作可能に突出している（図１（ｂ）参照）。
【００１０】
装置本体１の内部には、図２及び図３に示すように、光源１０を複数の発光体（ＬＥＤ）１１（本発明では、赤色ＬＥＤ、緑色ＬＥＤ、青色ＬＥＤの３個のＬＥＤ１１ａ〜１１ｃ）で構成し、これらのＬＥＤ１１ａ〜１１ｃを周方向に等間隔に配置するとともに周面にギヤ１２が形成された回転基板１３と、この回転基板１３と同軸上に配置され３箇所に切欠き１５ａ〜１５ｃが形成された位置決め板１５と、切欠き１５ａ〜１５ｃの何れかに係合して位置決め基板１５（回転基板１３）を固定するスタビライザー１４と、回転基板１３のギヤ１２にギヤ１６が噛み合い回転基板１３を回転させるダイヤル６と、集光レンズ１７と液晶パネル１８と投影レンズ１９とからなる投影部２０と、反射鏡２１とが配置され、スタビライザー１４で回転基板１３の回転位置が固定された場合は、ＬＥＤ１１は投影レンズ１９の真下に位置し、ＬＥＤ１１の光軸Ｌ１と投影レンズ１９の光軸Ｌ２とは一致するようになっている。
【００１１】
そして、ＬＥＤ１１の光は液晶パネル１８を透過し、反射鏡２１で反射され、液晶パネル１８に表示されている映像は、図４（ａ）に示すように、パネル３の裏側面に投影されるようになっている。
【００１２】
なお、図５に示すように、回転基板１３の裏面にはＬＥＤ１１（１１ａ〜１１ｃ）に対応してそれぞれ接点２２（２２ａ〜２２ｃ）が形成され、スタビライザー１４が切欠き１５ａ〜１５ｃの何れかに係合して位置決め板１５をスタビライズしたときには接点２２ａ〜２２ｃのいずれかがブラシ２３の先端に接触し、ブラシ２３から電圧が供給されるようになっている。例えば、スタビライザー１４が切欠き１５ａに係合したときには、ブラシ２３は接点２２ａに接触し、ブラシ２３、接点２２ａを介してＬＥＤ１１ａに電圧が印加されて赤色のＬＥＤ１１ａが点灯するようになっている。
【００１３】
図６は、上記投影機の電気的構成を説明するブロック図を示し、制御プログラムを内蔵したメモリに記憶したＣＰＵ２５には、映像データ、音声データを記憶した記憶手段であるメモリ（ＲＯＭ）２６、スピーカ２７、液晶パネル１８と制御ボタン２８が接続され、制御ボタン２８でメモリ２６に記憶されている映像データを選択すれば、選択した映像データが液晶パネル１８に表示されるとともに、その映像に関連して記憶されている音声データが効果音としてスピーカ２７から出力されるようになっている。
【００１４】
一方、回転基板１３の上面にはＬＥＤ１１が配置され、下面にはそのＬＥＤ１１に接続された接点２２が配置され、回転基板１３が回転し、接点２２がブラシ２３に接触するとＬＥＤ１１に通電しＬＥＤ１１が点灯するようになっている。
【００１５】
上記構成の投影機によれば、電源をオンするとメモリ２６に記憶されている映像データと音声データが読み出され、液晶パネル１８に表示されている映像がその時点でブラシ２３に接触している接点２２のＬＥＤ１１の色でパネル３に投影されるとともに効果音がスピーカ１９から出力されるので、操作ボタン２５を操作して、メモリ２６に記憶されているデータの中から見たい映像を選択し、その後、その映像に調和した色で発光するＬＥＤ１１をダイヤル６を回して選択する。例えば、メモリには海の中を泳ぐ魚をモチーフにした映像データと音声データや、草原を移動する動物をモチーフにした映像データと音声データが記憶されている場合、海の映像を表示させた場合は青色ＬＥＤ１１ｃを選択し、草原の映像を表示させた場合は緑色ＬＥＤ１１ｂを選択すればよい。
【００１６】
ダイヤル６を回してスタビライザー１４が切欠き１５ａ〜１５ｃの何れかに係合したとき、回転基板１３の回転が止まるとともに回転基板１３の裏側面に設けた接点２２がブラシ１５に接触してＬＥＤ１１が点灯するのでユーザーは自分が点灯させたい色のＬＥＤ１１が点灯したところでダイヤル６の回転を止めればよい。
【００１７】
上述したように、表示される映像に調和するようにダイヤル６を回してＬＥＤ１１の色を選択すれば、パネル３に映像を調和した色で投影することができる。
【００１８】
なお、上述の投影機は、図４（ｂ）に示すように、開閉蓋４を開くと外部に映像を大きく投影することができ、これもユーザーの気分で投影機自体に映像を表示させるか、室内の壁面や天井などに投影するかを自由に選択することができるようになっている。
【００１９】
図７は、投影機の他の例を示し、この投影機は背面にソケット３０が形成され、このソケット３０に映像データと音声データとが記憶されたメモリ２６を内装したカセット３１が差し込めるようになっているもので、このカセット３１には海の中を泳ぐ魚をモチーフにした映像データを記憶したメモリや、草原を移動する動物をモチーフにした映像データを記憶したメモリなど、様々な映像を記憶したメモリがそれぞれ個別に収容されているもので、ユーザーは見たい映像が記憶されているカセット３１を選び、ソケット３０に差し込み、電源をＯＮすればよい。
【００２０】
電源をＯＮするとメモリ２６に記憶されている映像が読み出されパネル３に投影されるので、その映像を見ながらダイヤル６を回して、映像を投影させたい色を選択すればよい。
【００２１】
上述の投影機によれば、新しいカセット３１を購入すれば、ユーザーが見ることのできる映像は際限がないので、決まった映像を見るだけでは飽きてしまうがいつも新鮮な気分でパネル３に投影される映像を楽しむことができる。しかも、投影する色を自由に選択することができるので既成概念にとらわれない映像を楽しむことができる。
【図面の簡単な説明】
【００２２】
【図１】（ａ）（ｂ）は本発明に係る投影装置の正面側斜視図及び背面側斜視図
【図２】上記投影装置の内部構成の説明図
【図３】光源と選択手段の関係を説明する分解斜視図
【図４】（ａ）（ｂ）は上記投影装置の使用状態の説明図
【図５】光源を説明する底面側斜視図
【図６】上記投影装置の電気的構成を説明するブロック図
【図７】投影装置の他の例を説明する斜視図
【符号の説明】
【００２３】
１    装置本体
２    基台
３    パネル
４    開閉蓋
６    選択手段（ダイヤル）
１０    光源
１１    発光体（ＬＥＤ）
１８    液晶パネル
１９    投影レンズ
２６    記憶手段(メモリ)
【図１】
2009058808.tif 000003
【図２】
2009058808.tif 000004
【図３】
2009058808.tif 000005
【図４】
2009058808.tif 000006
【図５】
2009058808.tif 000007
【図６】
2009058808.tif 000008
【図７】
2009058808.tif 000009